(57)【特許請求の範囲】
【請求項１】
天面壁部に内容物の注出口を有し容器の口部に着脱自在に装着されるキャップ本体と、このキャップ本体に２つのヒンジを介して開閉可能に連結され該キャップ本体の天面壁部に合わさって該注出口を閉塞する蓋体とを備えたヒンジキャップであって、
前記ヒンジは少なくとも外表面の一部分に軟材質部を有し、
前記天面壁部に、該天面壁部より起立するとともに前記蓋体の内側に収まる凸部を設け、
前記２つのヒンジの相互間に、キャップ本体と蓋体とをつなぐとともに前記蓋体の閉栓時において前記凸部に沿って変位して、その反発力によりワンタッチで該蓋体を引き上げる弾性片を配置する、ことを特徴とするヒンジキャップ。
【請求項２】
前記弾性片は、ゴム、エラストマー等の軟質弾性部材である、請求項１に記載のヒンジキャップ。
【請求項３】
前記軟材質部が、ゴム又はエラストマーである、請求項１又は２に記載のヒンジキャップ。
【請求項４】
前記軟材質部は、射出成形によって形成されたものである、請求項１〜３の何れかに記載のヒンジキャップ。
【請求項５】
前記キャップ本体に、その下端を片持ち支持して外側からの押し込みにより弾性変位するとともにその先端に係止爪を有する押圧部分を設け、
前記蓋体に、前記係止爪との連係により該蓋体の閉栓を維持するリブを設ける、請求項１〜４の何れかに記載のヒンジキャップ。
【発明の詳細な説明】
【技術分野】
【０００１】
本発明は、ヒンジキャップに関するものであり、該キャップのヒンジにおける当たり（指を触れたときの感覚）をソフトにしようとするものである。
【背景技術】
【０００２】
ヒンジキャップは、片手によって蓋体の開閉が可能であり、また、蓋体の紛失を防止できることから、調味料を入れる容器や薬剤を入れる容器あるいはシャンプー、リンスを入れる容器等幅広い分野において利用されている。  
【０００３】
近年、この種のキャップでは、使い勝手のより一層の改善を図るため、ヒンジの隣接部位にばね部材を配置して該ばね部材の弾性変位を利用して蓋体をワンタッチで開放させるタイプのものが数多く提案されているが（例えば特許文献１参照）、とくにキャップ本体と蓋体とをつなぐヒンジはキャップの側壁から突き出た突出部を有するものが多く、ここに指を触れたときに違和感を生じることがしばしば見受けられ、この点に関する改善の余地が残されていた。
【特許文献１】特開平8−113260号公報
【発明の開示】
【発明が解決しようとする課題】
【０００４】
本発明の課題は、ヒンジに指が触れた場合においてソフトな感覚を与え得る新規なヒンジキャップを提案するところにある。
【課題を解決するための手段】
【０００５】
本発明は、天面壁部に内容物の注出口を有し容器の口部に着脱自在に装着されるキャップ本体と、このキャップ本体に２つのヒンジを介して開閉可能に連結され該キャップ本体の天面壁部に合わさって該注出口を閉塞する蓋体とを備えたヒンジキャップであって、
前記ヒンジは少なくとも外表面の一部分に軟材質部を有し、前記天面壁部に、該天面壁部より起立するとともに前記蓋体の内側に収まる凸部を設け、前記２つのヒンジの相互間に、キャップ本体と蓋体とをつなぐとともに前記蓋体の閉栓時において前記凸部に沿って変位して、その反発力によりワンタッチで該蓋体を引き上げる弾性片を配置する、ことを特徴とするヒンジキャップである。
【０００６】
上記の構成になるヒンジキャップにおいては、前記弾性片を、ゴム、エラストマー等の軟質弾性部材で構成するのが好ましく、前記軟材質部は、ゴム又はエラストマーで構成するのが好ましい。前記軟材質部は、射出成形によって形成されたものが適用される。
【発明の効果】
【０００７】
ヒンジの外表面にゴムあるいはエラストマーからなる軟材質部を形成したため指が触れたときにソフトな感覚が与えられる。
【発明を実施するための最良の形態】
【０００８】
以下、図面を用いて本発明をより具体的に説明する。
図１(a)(b)は本発明に従うヒンジキャップの実施の形態を、蓋体を開けた状態及び閉めた状態でそれぞれ示した外観斜視図であり、図２(a)(b)は図１(a)(b)に示したヒンジキャップの断面をそれぞれ示した図である。
【０００９】
図における１はねじあるいはアンダーカット係合により容器の口部に着脱自在に装着されるキャップ本体である。このキャップ本体１は内側にねじあるいはアンダーカット（図示せず）が設けられた円筒状の周壁1aと、この周壁1aの上端において一体成形される天面壁部1bからなっており、該天面壁部1bには内容物を排出するための注出口1cと、曲面を有する凸部1dが形成されている。
【００１０】
また、２はキャップ本体１に２つのヒンジｈを介して開閉可能に連結される蓋体である。この蓋体２の裏面には、該キャップ本体１の天面壁部1bに合わさって注出口1cを閉塞する環状筒体2aが設けられている。
【００１１】
また、３はキャップ本体１の両サイドにおいてその周壁1aから天面壁部1bにかけて一体的に設けられた一対の押圧部分（押圧ボタン）である。この押圧部分３はその下端が周壁1aに片持ち支持されていて外側からの押し込みにより弾性変位させることができるようになっており、その先端には係止爪3aが設けられている。４は蓋体２に設けられ該蓋体２が天面壁部1bにあわせたときに該係止爪3aに連係するリブである。
【００１２】
５は２つのヒンジｈ間に配置され、キャップ本体１と蓋体２とを相互につなぐ弾性片である。この弾性片５は、その反発力により蓋体２をワンタッチで引き上げるエラストマーやゴム等からなる。
【００１３】
さらに、６はヒンジｈの外表面に設けられた軟材質部であり、これによりヒンジｈに手や指が触れたときにソフトな感覚を与える。また、該軟材質部を蓋体２の開放状態で射出成形して一体化させた場合には蓋体２を開放する向きへの弾性復元力（反発力）を有することになる。
【００１４】
蓋体２がキャップ本体１の天面壁部1bに合わさった状態、すなわち、蓋体２が閉じた状態においては弾性片５は図２(a)に示す如く凸部1dの曲面に沿って変位しており（弾性片５には反発力が生じている）、押圧部分３を両側から押し込んでその先端の係止爪3aと横リブ４との連係を解除することにより蓋体２は速やかに開放される。
【００１５】
弾性片５、軟材質部６は、ゴムやエラストマーにて構成し、かかる部材と一体化を図るのに有用な親和性の高い樹脂でキャップを形成して相互に融着させるのが好ましい。
【００１６】
弾性片５は反発力を生じさせるために図示の如く曲面に沿って変位させることができるが、該弾性片５は蓋体２がキャップ本体１の天面壁部1bに合わさったときに引き伸ばすように変位させ、その収縮力でもって蓋体２を開放する構造としてもよく、弾性片５に反発力を付与するための形態は任意に変更できる。また、弾性片５、ヒンジｈの軟材質部６はキャップを構成する樹脂を射出成形したのち、その所定箇所に弾性片５、軟材質部６を構成する素材を射出成形してもよいし、弾性片５、軟材質部６の成形物を予めインサートしておき、そこにキャップを構成する樹脂を射出形成するようにしてもよく、成形方法についてはとくに限定はされない。
【００１７】
係止爪3aとリブ４の連係を解除する押圧部分３は図３に示すようにヒンジｈの対向位置（キャップの前面）に１つ設けるようにしてもよい。
【００１８】
ヒンジｈは、弾性片５の両側に位置する構成を例として示したが、該ヒンジｈはキャップのサイズや用途に応じて種々変更できるものであり図示のヒンジに限定はされない。
【００１９】
軟材質部６はヒンジｈの外表面h１だけでなく外方側面h２に形成して断面Ｌ字形とすることができるし（図１(b)参照）、ヒンジｈの全体を軟材質部とすることもできる。
【産業上の利用可能性】
【００２０】
ヒンジに触れたときにソフトな感覚を与えることが可能で、ワンタッチで確実に蓋体を開けることができるヒンジキャップが提供できる。
【図面の簡単な説明】
【００２１】
【図１】(a)(b)は本発明に従うヒンジキャップの実施の形成を示した外観斜視図である。
【図２】(a)(b)は図１に示したヒンジキャップの断面を示した図である。
【図３】本発明に従うヒンジキャップの他の実施の形態の構成部材の外観斜視図である。
【符号の説明】
【００２２】
１  キャップ本体
1a  周壁
1b  天面壁部
1c  注出口
1d  凸部
２  蓋体
３  押圧部分
3a  係止爪
４  リブ
５  弾性片
６  軟材質部
ｈ  ヒンジ
【図１】
0004749108.tif 000002
【図２】
0004749108.tif 000003
【図３】
0004749108.tif 000004